(57)【要約】【課題】排水機能を十分に発揮することができ、地表面から排出された水分が再び地表面に流れ込むことがないようにする。【解決手段】少なくとも先端が地盤内に挿入される棒状補強材の基端に装着される受圧板１０であって、前記地盤の地表面に対向する背面１０ｂ及び該背面１０ｂの反対側の表面１０ａと、水平方向に延在する複数の横梁部１２とを備え、該横梁部１２の各々は、前記背面１０ｂ及び表面１０ａが鉛直方向に延在するとき、その表面１０ａ側の端が背面１０ｂ側の端よりも低くなるように、前記背面１０ｂ及び表面１０ａに対して傾斜している。【選択図】図１
2018131755.tif 000002
【特許請求の範囲】
【請求項１】
少なくとも先端が地盤内に挿入される棒状補強材の基端に装着される受圧板であって、
前記地盤の地表面に対向する背面及び該背面の反対側の表面と、
水平方向に延在する複数の横梁部とを備え、
該横梁部の各々は、前記背面及び表面が鉛直方向に延在するとき、その表面側の端が背面側の端よりも低くなるように、前記背面及び表面に対して傾斜していることを特徴とする受圧板。
【請求項２】
前記横梁部の各々は、前記背面及び表面が前記地表面に沿った方向に延在するとき、その表面側の端が背面側の端よりも低くなる請求項１に記載の受圧板。
【請求項３】
前記横梁部と直交する複数の縦梁部と、前記横梁部と縦梁部とによって画定された開口部とを更に備える格子状の部材である請求項１又は２に記載の受圧板。
【請求項４】
前記棒状補強材の基端が通過可能な通過開口を更に備え、該通過開口より大きな固定プレートを介して、前記棒状補強材の基端に締結される請求項１〜３のいずれか１項に記載の受圧板。
【請求項５】
前記固定プレートは、前記棒状補強材の基端のねじ部に螺合されたナット及び充填されたモルタルによって固定される請求項４に記載の受圧板。
【請求項６】
少なくとも先端が地盤内に挿入される棒状補強材の基端に装着される受圧板を備える地盤補強構造であって、
前記受圧板は、前記地盤の地表面に対向する背面及び該背面の反対側の表面と、水平方向に延在する複数の横梁部とを含み、
前記背面及び表面が前記地表面に沿った方向に延在し、前記横梁部の各々は、その表面側の端が背面側の端よりも低くなるように、前記背面及び表面に対して傾斜していることを特徴とする地盤補強構造。
【請求項７】
棒状補強材の少なくとも先端を地盤内に挿入する工程と、
前記地盤の地表面に対向する背面及び該背面の反対側の表面と、水平方向に延在する複数の横梁部とを含む受圧板を、前記背面及び表面が前記地表面に沿った方向に延在するように、前記棒状補強材の基端に装着する工程とを含み、
前記横梁部の各々は、その表面側の端が背面側の端よりも低くなるように、前記背面及び表面に対して傾斜していることを特徴とする地盤補強方法。
【発明の詳細な説明】
【技術分野】
【０００１】
本開示は、受圧板、地盤補強構造及び地盤補強方法に関するものである。
【背景技術】
【０００２】
従来、鉄道、道路、堤防等における盛土や切土の法面には、地下水による地盤の不安定化を防止するために、複数本の排水パイプが挿入されている（例えば、特許文献１参照。）。該排水パイプは、円筒壁面に多数の貫通孔が形成された金属製の多孔管であって、地盤内に挿入される。すると、地盤内の水分は、貫通孔から排水パイプ内に進入して、盛土や切土の法面に開口する排水パイプの末端から外部に排出される。これにより、地盤内の間隙水圧を低減させ、地震、降雨時等における法面の崩壊を防止することができる。
【０００３】
また、地盤内に挿入された排水パイプ、アンカーボルト等の棒状補強材の地表面に露出した基端に受圧板を装着することによって、地盤をより効果的に補強する方法も知られている（例えば、特許文献２参照。）。受圧板は、鉄筋コンクリート製、鋼製、樹脂製等の平板状又はメッシュ状の部材であって、一般的な地山補強土工法において使用される部材であり、棒状補強材と地表面との境界部に設置され、表層地盤が抜け出す動きを効果的に防止する。
【先行技術文献】
【特許文献】
【０００４】
【特許文献１】特開２０１４−１７３２６２号公報
【特許文献２】特開２００９−１１４７２６号公報
【発明の概要】
【発明が解決しようとする課題】
【０００５】
しかしながら、前記従来の技術では、地盤内に水分が多い箇所では、棒状補強材に受圧板を装着しても、十分な地山補強効果を得ることができなかった。受圧板が鉄筋コンクリート製の板状の部材であると、通水性が悪いので、地盤内の水分の排出が阻害されるだけでなく、受圧板の背面と地表面との境界に局所的な水の流れが発生し、局所的に地盤が浸食される恐れがある。このような浸食によって受圧板の背面と地表面の間に空間が生じた場合、棒状補強材に受圧板を装着しても、十分な地山補強効果を得ることができない。また、受圧板がメッシュ状の部材であると、棒状補強材を伝わって地盤内から受圧板の表面に排出された水分が、今度は、受圧板のメッシュ状の開口を通って受圧板の下の地表面に流れ込み、地盤内に浸透してしまう恐れがある。
【０００６】
ここでは、前記従来の技術の問題点を解決して、排水機能を十分に発揮することができ、地表面から排出された水分が再び地表面に流れ込むことがない受圧板、並びに、該受圧板を使用する地盤補強構造及び地盤補強方法を提供することを目的とする。
【課題を解決するための手段】
【０００７】
そのために、受圧板においては、少なくとも先端が地盤内に挿入される棒状補強材の基端に装着される受圧板であって、前記地盤の地表面に対向する背面及び該背面の反対側の表面と、水平方向に延在する複数の横梁部とを備え、該横梁部の各々は、前記背面及び表面が鉛直方向に延在するとき、その表面側の端が背面側の端よりも低くなるように、前記背面及び表面に対して傾斜している。
【０００８】
他の受圧板においては、さらに、前記横梁部の各々は、前記背面及び表面が前記地表面に沿った方向に延在するとき、その表面側の端が背面側の端よりも低くなる。
【０００９】
更に他の受圧板においては、さらに、前記横梁部と直交する複数の縦梁部と、前記横梁部と縦梁部とによって画定された開口部とを更に備える格子状の部材である。
【００１０】
更に他の受圧板においては、さらに、前記棒状補強材の基端が通過可能な通過開口を更に備え、該通過開口より大きな固定プレートを介して、前記棒状補強材の基端に締結される。
【００１１】
更に他の受圧板においては、さらに、前記固定プレートは、前記棒状補強材の基端のねじ部に螺合されたナット及び充填されたモルタルによって固定される。
【００１２】
地盤補強構造においては、少なくとも先端が地盤内に挿入される棒状補強材の基端に装着される受圧板を備える地盤補強構造であって、前記受圧板は、前記地盤の地表面に対向する背面及び該背面の反対側の表面と、水平方向に延在する複数の横梁部とを含み、前記背面及び表面が前記地表面に沿った方向に延在し、前記横梁部の各々は、その表面側の端が背面側の端よりも低くなるように、前記背面及び表面に対して傾斜している。
【００１３】
地盤補強方法においては、棒状補強材の少なくとも先端を地盤内に挿入する工程と、前記地盤の地表面に対向する背面及び該背面の反対側の表面と、水平方向に延在する複数の横梁部とを含む受圧板を、前記背面及び表面が前記地表面に沿った方向に延在するように、前記棒状補強材の基端に装着する工程とを含み、前記横梁部の各々は、その表面側の端が背面側の端よりも低くなるように、前記背面及び表面に対して傾斜している。
【発明の効果】
【００１４】
本開示によれば、排水機能を十分に発揮することができ、地表面から排出された水分が再び地表面に流れ込むことが防止される。
【図面の簡単な説明】
【００１５】
【図１】本実施の形態における受圧板の三面図である。
【図２】本実施の形態における受圧板を排水パイプに装着した状態を示す模式図である。
【図３】本実施の形態における固定プレートの変形例の斜視図である。
【図４】本実施の形態における排水パイプの地盤への挿入方法を示す地盤の模式横断面図である。
【図５】本実施の形態における受圧板を排水パイプに装着した状態を示す地盤の模式横断面図である。
【図６】本実施の形態における受圧板を水分が流下する状態を示す模式図である。
【発明を実施するための形態】
【００１６】
以下、本実施の形態について図面を参照しながら詳細に説明する。
【００１７】
図１は本実施の形態における受圧板の三面図、図２は本実施の形態における受圧板を排水パイプに装着した状態を示す模式図である。なお、図１において、（ａ）は正面図、（ｂ）は側面図、（ｃ）は（ａ）のＡ−Ａ矢視断面図であり、図２において、（ａ）は断面図、（ｂ）は（ａ）のＢ矢視図である。
【００１８】
図において、１０は、本実施の形態における受圧板であって、好適には、地盤を補強するために使用され、地表面に載置されて固定される。より好適には、例えば、図２（ａ）に示されるように、地盤としての盛土３１内に少なくとも先端が挿入された棒状補強材としての排水パイプ２１の基端であって地表面である盛土３１の法面３３に露出した基端に装着されて使用される。
【００１９】
本実施の形態において、棒状補強材は、必ずしも排水パイプ２１である必要はなく、例えば、アンカーボルト、ラディッシュアンカー等であってもよく、棒状の補強材であればいかなる種類のものであってもよいが、ここでは、説明の都合上、排水パイプ２１であるものとして説明する。また、本実施の形態における排水パイプ２１が挿入される地盤は、必ずしも盛土３１である必要はなく、例えば、切土であってもよいが、ここでは、盛土３１であるものとして説明する。さらに、該盛土３１は、鉄道用のものであっても、道路用のものであっても、河川の堤防であっても、いかなる用途のものであってもよいが、ここでは、鉄道用のものであるとして説明する。さらに、排水パイプ２１が挿入される箇所は、地盤のいかなる箇所であってもよいが、ここでは、盛土３１の法面３３であるものとして説明する。さらに、排水パイプ２１が挿入される方向は、いかなる方向であってもよいが、ここでは、盛土３１内の水分が重力によって外部に流出しやすいように、水平よりも斜め上向き方向に挿入されるものとして説明する。
【００２０】
なお、本実施の形態において、受圧板１０の各部及びその他の部材の構成及び動作を説明するために使用される上、下、左、右、前、後等の方向を示す表現は、絶対的なものでなく相対的なものであり、前記受圧板１０の各部及びその他の部材が図に示される姿勢である場合に適切であるが、その姿勢が変化した場合には姿勢の変化に応じて変更して解釈されるべきものである。
【００２１】
図１に示されるように、本実施の形態における受圧板１０は、平面視における形状が矩形、望ましくは、正方形の格子状の部材であって、例えば、道路の排水路にかける蓋として一般的に使用されている溝蓋であるグレーチング（Ｇｒａｔｉｎｇ）に似た構成の部材であり、好適には、鋼等の金属又はプラスチック等の樹脂から成る。そして、前記受圧板１０は、外枠部１１と、該外枠部１１の内側に配設された水平方向に延在する複数の横梁部１２及び該横梁部１２と直交する方向に延在する複数の縦梁部１３と、前記外枠部１１、横梁部１２及び縦梁部１３によって周囲を画定された複数の開口部１４とを備える。
【００２２】
前記外枠部１１は、厚さが数ミリメートルで細長い長方形の板状の４つの部材がそれぞれ側面となるように結合して形成された平面視における形状が矩形、望ましくは、正方形で、高さ（図１（ｂ）における上下方向の寸法）が低い角筒状の枠である。図に示される例において、前記外枠部１１は、平面視において、縦方向（図１（ａ）における上下方向）及び横方向（図１（ａ）における左右方向）の寸法がそれぞれ９０〔ｃｍ〕となっているが、この寸法は例示に過ぎないものであって、適宜変更することができる。なお、前記外枠部１１の上端及び下端が受圧板１０の表面１０ａ及び背面１０ｂをそれぞれ画定する。
【００２３】
そして、前記縦梁部１３は、縦方向に延在し、その両端が外枠部１１における横方向に延在する一対の側面に接続された厚さが数ミリメートルで細長い長方形の板状の部材であって、複数本が並列に配置されている。なお、前記縦梁部１３の本数は適宜設定することができる。また、前記縦梁部１３は、外枠部１１における縦方向（図１（ａ）における左右方向）に延在する一対の側面に平行であって、受圧板１０の表面１０ａ及び背面１０ｂに対して垂直である。
【００２４】
一方、前記横梁部１２は、横方向に延在し、その両端が外枠部１１における縦方向に延在する一対の側面に接続された厚さが数ミリメートルで細長い長方形の板状の部材であって、複数本が並列に配置されている。なお、前記横梁部１２の本数は適宜設定することができる。そして、前記横梁部１２は、受圧板１０の表面１０ａ及び背面１０ｂが鉛直方向に延在するとき、その表面１０ａ側の端が背面１０ｂ側の端よりも低くなるように、表面１０ａ及び背面１０ｂに対して傾斜している。つまり、図１（ｃ）に示されるような姿勢において、横梁部１２は、その表面１０ａ側の端が背面１０ｂ側の端よりも低くなるように傾斜している。なお、前記表面１０ａ及び背面１０ｂに対する横梁部１２の傾斜角度は、例えば、３５〔度〕であるが、この傾斜角度は例示に過ぎないものであって、適宜変更することができる。図２（ａ）に示されるように、受圧板１０が盛土３１の法面３３に載置された状態において、横梁部１２の表面１０ａ側の端が背面１０ｂ側の端よりも低くなるように、前記傾斜角度は設定される。
【００２５】
また、前記開口部１４は、それぞれ、平面視における形状が矩形の開口であって、受圧板１０の表面１０ａから背面１０ｂまで貫通する開口である。なお、前記開口部１４の数及び寸法は、適宜設定することができる。そして、平面視において、受圧板１０のほぼ中央に位置する開口部１４は、排水パイプ２１の基端が通過する通過開口１４ａとして機能する。該通過開口１４ａは、排水パイプ２１の基端が通過可能となるように、必要に応じて、他の開口部１４よりも大きな開口とすることができる。
【００２６】
具体的には、前記受圧板１０は、図２（ａ）に示されるように、盛土３１内に少なくとも先端が挿入された排水パイプ２１の基端であって地表面である盛土３１の法面３３に露出した基端に装着される。前記排水パイプ２１は、少なくとも盛土３１内に挿入された部分における円筒壁面に多数の貫通孔が形成された金属製の多孔管であって、盛土３１内の水分が、多数の貫通孔から排水パイプ２１内に進入して、法面３３の外部に露出する基端の端部開口から外部に排出されるようになっている。なお、前記排水パイプ２１の基端は、表面に雄ねじが形成されたねじ部２１ａとなっている。そして、前記排水パイプ２１の基端が通過開口１４ａを通過するようにして、受圧板１０は、背面１０ｂが法面３３に対向するように該法面３３上に載置される。
【００２７】
なお、受圧板１０の背面１０ｂと法面３３との間には、好適には、平板状の部材であるドレーン材１７が配設される。該ドレーン材１７は、土木工事等において、軟弱地盤等の水分を外部に排出するために使用される平板状の部材である。これにより、受圧板１０の背面１０ｂと法面３３との間に進入した水の流れによる法面３３の浸食が防止される。
【００２８】
そして、前記排水パイプ２１の基端は、固定部材としての固定プレート２３を介して、受圧板１０に固定される。前記固定プレート２３は、好適には、図２（ａ）に示されるように、断面形状が略Ｃ字状又はコ字状の鋼材から成る部材であって、その前面板２３ａの中央には貫通孔２３ｃが形成されている。また、前記固定プレート２３は通過開口１４ａよりも大きい。つまり、前記前面板２３ａは、図２（ｂ）に示されるように、受圧板１０の表面１０ａ側から観て、通過開口１４ａよりも大きく、約６〜７個の開口部１４を合わせた面積に対応する大きさに形成されている。そして、排水パイプ２１のねじ部２１ａにおける受圧板１０の表面１０ａよりも外側（図２（ａ）における左側）に突出した部分は、前記固定プレート２３の貫通孔２３ｃに挿入された状態とされ、さらに、ナット２２が螺合されることによって、固定プレート２３を介して、受圧板１０に締結された状態となっている。
【００２９】
なお、図２に示される例において、前記固定プレート２３の下側部分における縦梁部１３と対応する箇所には、縦梁部１３を収容可能な切込み２７が形成されていることが望ましい。これにより、固定プレート２３の下側部分が対応する通過開口１４ａ内に進入するので、固定プレート２３と受圧板１０との位置関係が安定し、排水パイプ２１の基端が受圧板１０に確実に固定された状態となる。
【００３０】
また、前記固定プレート２３と受圧板１０との間における図２（ｂ）において点線で囲まれる範囲にモルタル２４が充填されることが望ましい。該モルタル２４は、好適には、硬練りモルタル又は無収縮モルタルと称される種類のものである。前記モルタル２４が充填されることによって、排水パイプ２１の基端が受圧板１０により確実に固定された状態となる。
【００３１】
次に、前記固定プレート２３の変形例について説明する。
【００３２】
図３は本実施の形態における固定プレートの変形例の斜視図である。
【００３３】
前記固定プレート２３は、図３に示されるような箱形乃至ボックス形の形状を備えるものであってもよい。図に示される例において、固定プレート２３は、中央に貫通孔２３ｃが形成された矩形の前面板２３ａと、該前面板２３ａの上端縁及び下端縁から後方に延在する矩形の上側板２３ｄ及び下側板２３ｅと、前記前面板２３ａの左右側端縁から後方に延在する一対の台形状の側板２３ｆとを備える。
【００３４】
前記上側板２３ｄ及び下側板２３ｅとは互いに平行であり、一対の側板２３ｆ同士も互いに平行である。そして、上側板２３ｄの左右側端縁と下側板２３ｅの左右側端縁とは、側板２３ｆによって接続されている。なお、固定プレート２３の後面、すなわち、前面板２３ａに対向する面は、開放されている。また、前記上側板２３ｄ及び下側板２３ｅにおける縦梁部１３と対応する複数の箇所には、縦梁部１３を収容可能な切込み２７が形成されている。
【００３５】
そして、前記固定プレート２３がナット２２によって排水パイプ２１の基端及び受圧板１０に固定された後、箱形乃至ボックス形である固定プレート２３内にモルタル２４が充填される。これにより、該モルタル２４が外部に漏出することがなく、排水パイプ２１の基端と受圧板１０とが確実に固定される。
【００３６】
次に、前記構成の受圧板１０を使用して盛土３１を補強する方法について説明する。
【００３７】
図４は本実施の形態における排水パイプの地盤への挿入方法を示す地盤の模式横断面図、図５は本実施の形態における受圧板を排水パイプに装着した状態を示す地盤の模式横断面図、図６は本実施の形態における受圧板を水分が流下する状態を示す模式図である。
【００３８】
まず、図４に示されるように、排水パイプ２１を、地盤としての盛土３１の法面３３から、矢印Ｃで示される方向に挿入する。そして、排水パイプ２１の先端から所定長の部分が盛土３１内へ挿入されると、挿入動作が停止される。
【００３９】
続いて、図５に示されるように、盛土３１の外方に突出している排水パイプ２１の基端と盛土３１の法面３３との境界に受圧板１０が装着される。具体的には、図２に示されるように、前記排水パイプ２１の基端が受圧板１０の通過開口１４ａを通過するようにして、受圧板１０は前記法面３３に載置される。なお、受圧板１０の背面１０ｂと法面３３との間には、平板状の部材であるドレーン材１７が配設される。さらに、前記排水パイプ２１の基端が固定プレート２３の貫通孔２３ｃを通過するようにして、固定プレート２３が受圧板１０の表面１０ａ側に取り付けられる。そして、排水パイプ２１のねじ部２１ａにナット２２が螺合されることによって、固定プレート２３を介して、受圧板１０と排水パイプ２１とが締結される。さらに、固定プレート２３と受圧板１０との間にモルタル２４が充填されることによって、受圧板１０が確実に固定されて装着される。
【００４０】
このようにして装着された受圧板１０において、横梁部１２は、受圧板１０の表面１０ａ及び背面１０ｂに対して傾斜し、図６に示されるように、受圧板１０が盛土３１の法面３３に載置された状態において、横梁部１２の表面１０ａ側の端が背面１０ｂ側の端よりも低くなっている。これにより、横梁部１２が雨樋のような機能を発揮し、図において矢印Ｄで示されるように、地表面である法面３３から漏出した水分は、横梁部１２を伝って外側、すなわち、受圧板１０の表面１０ａ側に向けて流下し、しかも、再び法面３３に流れ込むことがない。同様に、雨水や排水パイプ２１の基端の端部開口から外部に排出された水分も、横梁部１２を伝って受圧板１０の表面１０ａ側に向けて流下し、法面３３に流れ込むことがない。
【００４１】
つまり、前記受圧板１０においては、法面３３から漏出した水分も、雨水も、排水パイプ２１に排出された水分も、すべて、横梁部１２を伝って受圧板１０の表面１０ａ側に向けて流下し、法面３３に流れ込むことがない。したがって、水分が盛土３１内に浸透することがなく、水分による盛土３１の不安定化、法面３３の浸食や崩壊が防止される。
【００４２】
このように、本実施の形態において、受圧板１０は、少なくとも先端が盛土３１内に挿入される排水パイプ２１の基端に装着される。そして、受圧板１０は、盛土３１の法面３３に対向する背面１０ｂ及び背面１０ｂの反対側の表面１０ａと、水平方向に延在する複数の横梁部１２とを備え、横梁部１２の各々は、背面１０ｂ及び表面１１ａが鉛直方向に延在するとき、その表面１１ａ側の端が背面１０ｂ側の端よりも低くなるように、背面１０ｂ及び表面１０ａに対して傾斜している。これにより、受圧板１０は、排水機能を十分に発揮することができ、法面３３から漏出した水分が再び法面３３に流れ込むことがない。
【００４３】
また、横梁部１２の各々は、背面１０ｂ及び表面１０ａが法面３３に沿った方向に延在するとき、その表面１０ａ側の端が背面１０ｂ側の端よりも低くなる。したがって、水分が法面３３に流れ込むことを確実に防止することができる。
【００４４】
さらに、受圧板１０は、横梁部１２と直交する複数の縦梁部１３と、横梁部１２と縦梁部１３とによって画定された開口部１４とを更に備える格子状の部材である。したがって、軽量でありながら強度が高く、排水パイプ２１の基端への装着を容易に、かつ、短時間で行うことができる。
【００４５】
さらに、受圧板１０は、排水パイプ２１の基端が通過可能な通過開口１４ａを更に備え、通過開口１４ａより大きな固定プレート２３を介して、排水パイプ２１の基端に締結される。したがって、受圧板１０は排水パイプ２１の基端に確実に装着される。
【００４６】
さらに、固定プレート２３は、排水パイプ２１の基端のねじ部２１ａに螺合されたナット２２及び充填されたモルタル２４によって固定される。したがって、排水パイプ２１の基端が受圧板１０に固定される。
【００４７】
また、本実施の形態において、地盤補強構造は、少なくとも先端が盛土３１内に挿入される排水パイプ２１の基端に装着される受圧板１０を備える。そして、受圧板１０は、盛土３１の法面３３に対向する背面１０ｂ及び背面１０ｂの反対側の表面１０ａと、水平方向に延在する複数の横梁部１２とを含み、背面１０ｂ及び表面１０ａが法面３３に沿った方向に延在し、横梁部１２の各々は、その表面１０ａ側の端が背面１０ｂ側の端よりも低くなるように、背面１０ｂ及び表面１０ａに対して傾斜している。これにより、法面３３から漏出した水分が再び法面３３に流れ込むことを防止することができるので、受圧板１０は、排水機能を十分に発揮することができ、また、盛土３１との間の固着力を十分に発揮することができ、地盤である盛土３１は効果的に補強される。
【００４８】
さらに、本実施の形態において、地盤補強方法は、排水パイプ２１の少なくとも先端を盛土３１内に挿入する工程と、盛土３１の法面３３に対向する背面１０ｂ及び背面１０ｂの反対側の表面１０ａと、水平方向に延在する複数の横梁部１２とを含む受圧板１０を、背面１０ｂ及び表面１０ａが法面３３に沿った方向に延在するように、排水パイプ２１の基端に装着する工程とを含み、横梁部１２の各々は、その表面１０ａ側の端が背面１０ｂ側の端よりも低くなるように、背面１０ｂ及び表面１０ａに対して傾斜している。これにより、受圧板１０を排水パイプ２１の基端に容易に装着することができるとともに、法面３３から漏出した水分が再び法面３３に流れ込むことを確実に防止することができる。
【００４９】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００５０】
本開示は、受圧板、地盤補強構造及び地盤補強方法に適用することができる。
【符号の説明】
【００５１】
１０    受圧板
１０ａ    表面
１０ｂ    背面
１２    横梁部
１３    縦梁部
１４    開口部
１４ａ    通過開口
２１    排水パイプ
２１ａ    ねじ部
２２    ナット
２３    固定プレート
２４    モルタル
３１    盛土
３３    法面
【図１】
2018131755.tif 000003
【図２】
2018131755.tif 000004
【図３】
2018131755.tif 000005
【図４】
2018131755.tif 000006
【図５】
2018131755.tif 000007
【図６】
2018131755.tif 000008